(57)【要約】【課題】  バランを含むフィルタの小型化を可能にし、設計自由度を高めた弾性波デバイスを提供すること。【解決手段】  本弾性波デバイスは、入力端子としての共通端子Ａｎｔと、共通端子Ａｎｔから入力された信号を逆位相の２つの信号に変換して出力するバラン２０と、バラン２０から入力された２つの信号を平衡出力信号として出力するフィルタ３０とを有する。バラン２０の出力インピーダンスは、フィルタ３０の入力インピーダンスと等しく、フィルタ３０の出力インピーダンスより大きい。本構成によれば、バラン２０が共通端子Ａｎｔとフィルタ３０との間に接続されているため、フィルタ３０の入力インピーダンスを任意に変更し、設計自由度を高めることができる。また、フィルタ３０の入力インピーダンスを大きくすることで、フィルタ３０を小型化し、弾性波デバイス１００Ａ全体の小型化を図ることができる。【選択図】  図２
2011015156.tif 000002
【特許請求の範囲】
【請求項１】
入力端子と、
前記入力端子に接続され、前記入力端子から入力された信号を逆位相の２つの信号に変換して出力するバランと、
前記バランに接続され、前記バランから入力された２つの信号を平衡出力信号として出力するフィルタと、を有し、
前記バランの出力インピーダンスは、前記フィルタの入力インピーダンスと等しく、前記フィルタの出力インピーダンスより大きいことを特徴とする弾性波デバイス。
【請求項２】
前記フィルタは、２組のラダーフィルタから構成され、
前記２組のラダーフィルタのそれぞれは、直列腕に接続された複数の直列共振器と、並列腕に接続された複数の並列共振器とを含むことを特徴とする請求項１記載の弾性波デバイス。
【請求項３】
前記２組のラダーフィルタにおいて、
前記複数の並列共振器のうち最も入力側に配置された並列共振器は、各ラダーフィルタに共通の１つの並列共振器であり、且つ接地されておらず、
前記複数の並列共振器のうち他の並列共振器の一端同士が接続され、且つ接地されていることを特徴とする請求項２記載の弾性波デバイス。
【請求項４】
前記２組のラダーフィルタにおいて、
前記複数の並列共振器のうち最も入力側に配置された２つの並列共振器の一端同士が接続され、且つ接地されておらず、
前記複数の並列共振器のうち他の並列共振器の一端同士が接続され、且つ接地されていることを特徴とする請求項２記載の弾性波デバイス。
【請求項５】
前記複数の並列共振器の一端は全て接地されていることを特徴とする請求項２記載の弾性波デバイス。
【請求項６】
前記２組のラダーフィルタは、異なる回路構成であることを特徴とする請求項２〜５のいずれかに記載の弾性波デバイス。
【請求項７】
前記複数の直列共振器及び前記複数の並列共振器の少なくとも一部は、表面弾性波共振器または薄膜弾性共振器であることを特徴とする請求項２〜６のいずれかに記載の弾性波デバイス。
【請求項８】
前記フィルタは、ＤＭＳフィルタから構成されていることを特徴とする請求項１記載の弾性波デバイス。
【請求項９】
前記入力端子は共通端子であり、
前記弾性波デバイスは、前記共通端子に接続されたフィルタを含むデュプレクサであることを特徴とする請求項１〜８のいずれかに記載の弾性波デバイス。
【請求項１０】
前記バランは、ＩＰＤから構成されていることを特徴とする請求項１〜９のいずれかに記載の弾性波デバイス。
【発明の詳細な説明】
【技術分野】
【０００１】
本発明は、弾性波デバイスに関する。
【背景技術】
【０００２】
近年、携帯電話端末等において、高周波回路におけるコモンモードノイズを抑制するために、受信側の信号を差動（平衡）型とするフィルタが用いられている。例えば、平衡端子と不平衡端子との間に、バラン及びラダー型フィルタを組み合わせた回路を接続した弾性波デバイスが知られている（特許文献１）。
【先行技術文献】
【特許文献】
【０００３】
【特許文献１】特開２００７−３１２３２４号公報
【発明の概要】
【発明が解決しようとする課題】
【０００４】
特許文献１に記載の弾性波デバイスでは、フィルタが入力端子に直接接続される構成となっており、フィルタの入力インピーダンスが固定されてしまう。このため、設計自由度が損なわれるだけでなく、フィルタの小型化が難しいという課題があった。
【０００５】
本発明は上記の課題に鑑みてなされたものであり、バランを含むフィルタの設計自由度を高め、小型化を可能にした弾性波デバイスを提供することを目的とする。
【課題を解決するための手段】
【０００６】
本弾性波デバイスは、入力端子と、前記入力端子に接続され、前記入力端子から入力された信号を逆位相の２つの信号に変換して出力するバランと、前記バランに接続され、前記バランから入力された２つの信号を平衡出力信号として出力するフィルタと、を有する。また、前記バランの出力インピーダンスは、前記フィルタの入力インピーダンスと等しく、前記フィルタの出力インピーダンスより大きい。本構成によれば、バランが入力端子とフィルタとの間に接続されているため、フィルタの入力インピーダンスを任意に変更し、設計自由度を高めることができる。また、フィルタの入力インピーダンスを大きくすることで、フィルタを小型化し、弾性波デバイス全体の小型化を図ることができる。
【０００７】
上記構成において、前記フィルタは、２組のラダーフィルタから構成され、前記２組のラダーフィルタのそれぞれは、直列腕に接続された複数の直列共振器と、並列腕に接続された複数の並列共振器とを含む構成とすることができる。
【０００８】
上記構成において、前記２組のラダーフィルタにおいて、前記複数の並列共振器のうち最も入力側に配置された並列共振器は、各ラダーフィルタに共通の１つの並列共振器であり、且つ接地されておらず、前記複数の並列共振器のうち他の並列共振器の一端同士が接続され、且つ接地されている構成とすることができる。本構成によれば、最も入力側の並列共振器を合成して１つにするとともに、接地のために必要なパッドの数を減少させることができるため、弾性波デバイスの小型化を図ることができる。
【０００９】
上記構成において、前記２組のラダーフィルタにおいて、前記複数の並列共振器のうち最も入力側に配置された２つの並列共振器の一端同士が接続され、且つ接地されておらず、前記複数の並列共振器のうち他の並列共振器の一端同士が接続され、且つ接地されている構成とすることができる。本構成によれば、接地のために必要なパッドの数を減少させることができるため、弾性波デバイスの小型化を図ることができる。
【００１０】
上記構成において、前記複数の並列共振器の一端は全て接地されている構成とすることができる。
【００１１】
上記構成において、前記２組のラダーフィルタは、異なる回路構成である構成とすることができる。本構成によれば、バランを含めたフィルタのバランス性を向上させることができる。
【００１２】
上記構成において、前記複数の直列共振器及び前記複数の並列共振器の少なくとも一部は、表面弾性波共振器または薄膜弾性共振器である構成とすることができる。
【００１３】
上記構成において、前記フィルタは、ＤＭＳフィルタから構成されている構成とすることができる。
【００１４】
上記構成において、前記入力端子は共通端子であり、前記弾性波デバイスは、前記共通端子に接続されたフィルタを含むデュプレクサである構成とすることができる。
【００１５】
上記構成において、前記バランは、ＩＰＤからなる構成とすることができる。
【発明の効果】
【００１６】
本発明によれば、バランを含む弾性波デバイスの設計自由度を高め、装置全体を小型化することができる。
【図面の簡単な説明】
【００１７】
【図１】図１は、比較例に係る弾性波デバイスの模式図である。
【図２】図２は、実施例１に係る弾性波デバイスの模式図である。
【図３】図３は、実施例２に係る弾性波デバイスの模式図である。
【図４】図４は、実施例３に係る弾性波デバイスの模式図である。
【図５】図５は、実施例１及び実施例３に係る弾性波デバイスの特性を示したグラフである。
【図６】図４は、実施例４に係る弾性波デバイスの模式図である。
【発明を実施するための形態】
【００１８】
最初に、比較例に係る弾性波デバイスについて説明する。
（比較例）
【００１９】
図１は、比較例に係る弾性波デバイス１００の模式図である。弾性波デバイス１００は、１つの入力端子Ｉｎと、２つの出力端子Ｔ２１及びＴ２２を有する。入力端子Ｉｎと出力端子Ｔ２１及びＴ２２との間には、入力端子Ｉｎの側から順に、ラダーフィルタ９０及びバラン９２が直列に接続されている。ここで、ラダーフィルタ９０とバラン９２との間に位置するノードを中間ノードＴ１と称する。
【００２０】
ラダーフィルタ９０は、入力端子Ｉｎと中間ノードＴ１との間に接続されている。ラダーフィルタ９０は、直列腕に接続された複数の直列共振器Ｓ１〜Ｓ４と、並列腕に接続された複数の並列共振器Ｐ１〜Ｐ４とを含む。並列共振器Ｐ１は、一端が入力端子Ｉｎと直列共振器Ｓ１との間に接続され、他端が接地されている。並列共振器Ｐ２及びＰ３は、それぞれ一端が直列共振器Ｓ２とＳ３との間に接続され、他端が接地されている。並列共振器Ｐ４は、一端が直列共振器Ｓ４と中間ノードＴ１との間に接続され、他端が接地されている。
【００２１】
バラン９２は、中間ノードＴ１と出力端子（Ｔ２１、Ｔ２２）との間に接続されている。中間ノードＴ１と出力端子Ｔ２１との間には、キャパシタＣＳ及びインダクタＬＰが接続されている。キャパシタＣＳは、信号の伝搬方向に対し直列に配置されている。インダクタＬＰは、キャパシタＣＳに対し並列に配置され、一端がキャパシタＣＳと出力端子Ｔ２１との間に接続され、他端が接地されている。また、中間ノードＴ１と出力端子Ｔ２２との間には、キャパシタＣＰ及びインダクタＬＳが接続されている。インダクタＬＳは、信号の伝搬方向に対し直列に配置されている。キャパシタＣＰは、インダクタＬＳに対し並列に配置され、一端がインダクタＬＳと出力端子Ｔ２２との間に接続され、他端が接地されている。
【００２２】
弾性波デバイス１００では、不平衡信号が入力端子Ｉｎから入力される。ラダーフィルタ９０は、入力信号のうち通過帯域外における信号を抑制する。バラン９２は、ラダーフィルタ９０を通過した信号を２つの逆位相の信号へと変換し、平衡信号として出力する。出力端子Ｔ２１からは、キャパシタＣＳを通って位相が９０°遅れた信号が出力され、出力端子Ｔ２２からは、インダクタＬＳを通って位相が９０°進んだ信号が出力される。
【００２３】
ここで、比較例に係る弾性波デバイス１００では、バラン９２がラダーフィルタ９０と平衡端子（出力端子Ｔ２１、Ｔ２２）との間に接続されている。従って、弾性波デバイス１００のフィルタとしての振幅バランス及び位相バランスは、バラン９２に大きく依存してしまう。また、ラダーフィルタ９０が入力端子Ｉｎに直接接続されているため、ラダーフィルタ９０の入力インピーダンスが固定され、設計自由度が損なわれてしまう。入力インピーダンスが固定されると、ラダーフィルタ９０の入力側に近い共振器（例えば、直列共振器Ｓ１及び並列共振器Ｐ１）の大きさも固定されてしまうため、デバイスの小型化を図ることが難しい。
【００２４】
上記の課題を踏まえた上で、以下に記載の実施例では、バランを含むフィルタの小型化を可能にし、設計自由度を高めた弾性波デバイスについて説明する。
【実施例１】
【００２５】
図２は、実施例１に係る弾性波デバイス１００Ａの模式図である。弾性波デバイス１００Ａは、共通端子Ａｎｔ、送信側からの入力端子（以下、送信端子）Ｔｘ、並びに受信側への出力端子（以下、受信端子）Ｒｘ１及びＲｘ２を有する。共通端子Ａｎｔと送信端子Ｔｘとの間には、ラダーフィルタ１０が接続されている。共通端子Ａｎｔと受信端子Ｒｘ１及びＲｘ２との間には、共通端子Ａｎｔの側から順に、バラン２０及びフィルタ３０が接続されている。
【００２６】
ラダーフィルタ１０は、比較例（図１）で説明したラダーフィルタ９０と同様の構成であり、直列共振器Ｓ１〜Ｓ４及び並列共振器Ｐ１〜Ｐ２を含む。詳細な構成については説明を省略する。
【００２７】
バラン２０は、共通端子Ａｎｔから不平衡信号を受信し、２つの逆位相の信号に変換した上で、フィルタ３０へと出力する。ここで、バラン２０とフィルタ３０との間に位置するノードのうち、９０°進んだ信号が出力されるノードを中間ノードＲｘ１（ｉｎ）、９０°遅れた信号が出力されるノードを中間ノードＲｘ２（ｉｎ）と称する。
【００２８】
共通端子Ａｎｔと中間ノードＲｘ１（ｉｎ）との間には、インダクタＬＳ及びキャパシタＣＰが接続されている。インダクタＬＳは、信号の伝搬方向に対し直列に配置されている。キャパシタＣＰは、インダクタＬＳに対し並列に配置され、一端がインダクタＬＳと中間ノードＲｘ１（ｉｎ）との間に接続され、他端が接地されている。
【００２９】
共通端子Ａｎｔと中間ノードＲｘ２（ｉｎ）との間には、キャパシタＣＳ及びインダクタＬＰが接続されている。キャパシタＣＳは、信号の伝搬方向に対し直列に配置されている。インダクタＬＰは、キャパシタＣＳに対し並列に配置され、一端がキャパシタＣＳと中間ノードＲｘ２（ｉｎ）との間に接続され、他端が接地されている。なお、バラン２０に含まれる各受動素子（ＣＳ、ＣＰ、ＬＳ、ＬＰ）は、集積化受動素子（ＩＰＤ：Ｉｎｔｅｇｒａｔｅｄ  Ｐａｓｓｉｖｅ  Ｄｅｖｉｃｅ）ＩＰＤ２１として形成されている。
【００３０】
フィルタ３０は、バラン２０から２つの信号を受信し、通過帯域外の信号を抑制した上で、平衡出力信号として受信端子へと出力する。ここで、フィルタ３０の２つの出力端子のうち、９０°進んだ信号が出力される端子を受信端子Ｒｘ１（ｂａｌ．）、９０°遅れた信号が出力される端子を受信端子Ｒｘ２（ｂａｌ．）と称する。
【００３１】
フィルタ３０は、２組のラダーフィルタ３２及び３４から構成されている。ラダーフィルタ３２及び３４は、それぞれ直列腕に接続された直列共振器Ｓ１１〜Ｓ１４及びＳ２１〜Ｓ２４と、並列腕に接続された並列共振器Ｐ１１〜Ｐ１４及びＰ２１〜Ｐ２４とを含む。直列共振器Ｓ１１〜Ｓ１４は、中間ノードＲｘ１（ｉｎ）と受信端子Ｒｘ１（ｂａｌ．）との間に、中間ノードＲｘ１（ｉｎ）の側から順に直列に配置されている。
【００３２】
並列共振器Ｐ１１〜Ｐ１４は、それぞれ一端が直列共振器Ｓ１１〜Ｓ１４の間のノードに接続されている。詳細には、並列共振器Ｐ１１の一端は直列共振器Ｓ１１とＳ１２との間に、並列共振器Ｐ１２の一端は直列共振器Ｓ１２とＳ１３との間に、並列共振器Ｐ１３の一端は直列共振器Ｓ１３とＳ１４との間に、並列共振器Ｐ１４の一端は直列共振器Ｓ１４と受信端子Ｒｘ１（ｂａｌ．）との間に接続されている。直列共振器Ｓ２１〜Ｓ２４及び並列共振器Ｐ２１〜Ｐ２４についても、それぞれ直列共振器Ｓ１１〜Ｓ１４及び並列共振器Ｐ１１〜Ｐ１４と同様の接続関係となっている。
【００３３】
また、並列共振器Ｐ１１〜Ｐ１４及びＰ２１〜Ｐ２４において、直列共振器に接続された側と反対側の端同士は、それぞれ接続され、且つ接地されている。換言すれば、弾性波デバイス１００Ａにおいては、並列共振器Ｐ１１〜Ｐ１４及びＰ２１〜Ｐ２４の一端が全て接地されている。なお、直列共振器Ｓ１１〜Ｓ２４、及び並列共振器Ｐ１１〜Ｐ２４としては、例えば薄膜弾性共振器（ＦＢＡＲ：Ｆｉｌｍ  Ｂｕｌｋ  Ａｃｏｕｓｔｉｃ  Ｒｅｓｏｎａｔｏｒ）や、表面弾性波（ＳＡＷ：Ｓｕｒｆａｃｅ  Ａｃｏｕｓｔｉｃ  Ｗａｖｅ）共振器を用いることができる。
【００３４】
次に、バラン２０及びフィルタ３０におけるインピーダンスについて説明する。バラン２０の入力インピーダンスをＺｉｎ、出力インピーダンスをＺｏｕｔ、中心角周波数をω０、インダクタンスをＬ、キャパシタンスをＣとしたとき、これらのパラメータは以下の関係にある。
【数１】
2011015156.tif 000003
【数２】
2011015156.tif 000004
入力インピーダンスＺｉｎの値は、共通端子Ａｎｔに依存する。バラン２０では、任意の入力インピーダンスＺｉｎに対し、インダクタンスＬ及びキャパシタンスＣを適宜変更することにより、所望の出力インピーダンスＺｏｕｔを得ることができる。
【００３５】
フィルタ３０の入力インピーダンス及び出力インピーダンスは、フィルタ３０を構成する共振器（Ｓ１１〜Ｓ２４及びＰ１１〜Ｐ２４）の特性に依存する。特に、入力インピーダンスに対しては、入力側に近い共振器（直列共振器Ｓ１１及びＳ２１）のインピーダンスの影響が大きい。例えば、共振器が薄膜弾性共振器（ＦＢＡＲ）からなる場合には、電極の面積を小さくすることにより、インピーダンスを大きくすることができる。また、共振器が表面弾性波共振器からなる場合には、ＩＤＴ（Ｉｎｔｅｒｄｉｇｉｔａｌ  Ｔｒａｎｓｄｕｃｅｒ）の電極指ピッチ、交差幅、電極幅及び電極対数の少なくとも１つのパラメータを小さくすることにより、インピーダンスを大きくすることができる。どちらの場合でも、インピーダンスが大きくなるほど、共振器のサイズは小さくなる傾向にある。
【００３６】
出力側のインピーダンスについても、入力側と同様である。以上のように、フィルタ３０の入出力インピーダンスは、共振器のパラメータを変更することにより適宜変更することができる。
【００３７】
本実施例では、バラン２０の出力インピーダンスが、フィルタ３０の入力インピーダンスと等しくなるように設定されている。これにより、バラン２０及びフィルタ３０におけるインピーダンスのミスマッチを抑制することができる。また、フィルタ３０の出力インピーダンスは、バラン２０の出力インピーダンス（及びフィルタ３０の入力インピーダンス）に比べて小さく設定されている。これらのインピーダンスの大小関係は、上述した方法でバラン２０の出力インピーダンス及びフィルタ３０の入出力インピーダンスを適宜変更することにより実現することができる。
【００３８】
例えば、バラン２０の入力インピーダンスが５０Ω、フィルタ３０の出力インピーダンスが１００Ω（５０Ω不平衡入力−１００Ω平衡出力）のとき、バラン２０の出力インピーダンス及びフィルタ３０の入力インピーダンスは、１００Ωより大きい値（例えば、２００Ω）とすることができる。バラン２０の出力インピーダンス及びフィルタ３０の入力インピーダンスは、フィルタ３０の出力インピーダンスに比べて２５％以上大きいことが好ましく、５０％以上大きいことがさらに好ましい。また、１００％以上大きいことがさらに好ましい。
【００３９】
実施例１の弾性波デバイス１００Ａによれば、バラン２０が、共通端子Ａｎｔとフィルタ３０との間に接続されている。これにより、弾性波デバイス１００Ａのフィルタとしての振幅バランス及び位相バランスを、フィルタ３０により調節することができ、バラン２０への依存度を低減することができる。また、フィルタ３０がバラン２０の出力端に接続されているため、フィルタ３０の入力インピーダンスをバラン２０により任意に設定することができ、設計自由度を高めることができる。
【００４０】
特に、バラン２０の出力インピーダンスが、フィルタ３０の入力インピーダンスと等しく、フィルタ３０の出力インピーダンスより大きくなるようにすることで、フィルタ３０の入力インピーダンスの値を大きくすることができる。これにより、フィルタ３０の入力側に近い共振器（直列共振器Ｓ１１及びＳ２１）のサイズを小さくすることができるため、弾性波デバイス１００Ａ全体の小型化を図ることができる。
【実施例２】
【００４１】
図３は、実施例２に係る弾性波デバイス１００Ｂの模式図である。フィルタ３０を構成する２組のラダーフィルタ３２及び３４において、最も入力側に配置された並列共振器Ｐ１１及びＰ２１は、互いに一端同士が接続され、且つ接地されていない。その他の構成は実施例１（図２）と同様であり、詳細な説明を省略する。また、バラン２０及びフィルタ３０における入出力インピーダンスの関係も、実施例１と同様である。
【００４２】
実施例２に係る弾性波デバイス１００Ｂによれば、並列共振器Ｐ１１及びＰ２１が接地されていないものの、実施例１に係る弾性波デバイス１００Ａとほとんど変わることのないフィルタ特性を実現することができる。これは、フィルタ３０の入力側に近い（すなわち、出力側から遠い）並列共振器Ｐ１１及びＰ２１については、接地の有無がフィルタの特性に与える影響が少ないためである。この点については実施例３で詳述する。さらに、弾性波デバイス１００Ｂでは、並列共振器Ｐ１１及びＰ２１を接地するための接地パッドを設けなくともよいため、実施例１に比べてフィルタ３０及び装置全体の小型化を図ることができる。
【実施例３】
【００４３】
図４は、実施例３に係る弾性波デバイス１００Ｃの模式図である。フィルタ３０を構成する２組のラダーフィルタ３２及び３４において、最も入力側に配置された並列共振器は、各ラダーフィルタに共通の並列共振器Ｐ１０であり、且つ接地されていない。すなわち、実施例２（図３）における並列共振器Ｐ１１及びＰ２１が、合成されて１つの並列共振器Ｐ１０となっており、その一旦は直列共振器Ｓ１１及びＳ１２の間に、他端は直列共振器Ｓ２１及びＳ２２の間に接続されている。その他の構成は実施例２（図３）と同様であり、詳細な説明を省略する。また、バラン２０及びフィルタ３０における入出力インピーダンスの関係も、実施例１〜２と同様である。
【００４４】
図５は、実施例３に係る弾性波デバイス１００Ｃ及び実施例１に係る弾性波デバイス１００Ａの、受信側の特性を比較したグラフである。ここでは、通過帯域をＢａｎｄ３（Ｔｘ：１７１０〜１７８５ＭＨｚ、Ｒｘ：１８０５〜１８８０ＭＨｚ）、共振器は薄膜弾性共振器（ＦＢＡＲ）としてシミュレーションを行った。
【００４５】
図５に示すように、実施例１と実施例３とでは、通過帯域内外における信号の減衰量についてほとんど差が生じない。一方、実施例３の弾性波デバイス１００Ｃでは、並列共振器Ｐ１１及びＰ２１を接地するための接地パッドを設けなくともよいため、実施例１に比べてフィルタ３０及び装置全体の小型化を図ることができる。また、並列共振器Ｐ１１及びＰ２１を合成して１つの並列共振器Ｐ１０としたため、フィルタ３０及び装置全体を実施例１〜２に比べてさらに小型化することができる。
【００４６】
実施例１〜３において、フィルタ３０に含まれるラダーフィルタ３２及び３４の回路構成は同一としてもよいが、異なるものとしてもよい。２組のラダーフィルタの回路構成を異ならせることで、バランを含めたフィルタのバランス性を向上させることができる。なお、回路構成が異なるとは、例えば２つの回路を構成する素子の種類、数、及び接続関係のうち１つ以上が異なることを指す。また、回路の構成要素及び接続関係が同一の場合であって、各構成要素の電気的特性（容量・抵抗値など）や具体的形態（電極の形状、寸法など）が異なる場合も含む。実施例１〜３においても、これらのパラメータを異なるものとすることが好ましい。
【００４７】
実施例１〜３では、入力側に一番近い並列共振器以外の並列共振器（Ｐ１２〜Ｐ１４、Ｐ２２〜Ｐ２４）は常に接地されていたが、これらの並列共振器のうち一部を接地しない構成としてもよい。並列共振器を接地するか否かは、弾性波デバイス１００Ａ〜１００Ｃの電気的特性により決定される。ただし、出力側に最も近い並列共振器（Ｐ１４、Ｐ２４）については、接地することが好ましい。また、各ラダーフィルタに含まれる直列共振器及び並列共振器の数は、上記実施例の数（それぞれ４つ）に限定されるものではない。
【実施例４】
【００４８】
実施例４は、ラダーフィルタの代わりにＤＭＳフィルタを用いた例である。
【００４９】
図６は、実施例４に係る弾性波デバイス１００Ｄの模式図である。各端子の配置、並びにラダーフィルタ１０及びバラン２０の構成は、実施例１〜３と同様であるため詳細な説明を省略する。実施例４では、バラン２０と受信端子Ｒｘ１（ｂａｌ．）及びＲｘ２（ｂａｌ．）との間に、フィルタ３０の代わりにＤＭＳ（Ｄｏｕｂｌｅ  Ｍｏｄｅ  ＳＡＷ）フィルタ４０が配置されている。バラン２０及びＤＭＳフィルタ４０における入出力インピーダンスの関係は、実施例１と同様である。
【００５０】
ＤＭＳフィルタ４０は、中間ノードＲｘ１（ｉｎ）及び受信端子Ｒｘ１（ｂａｌ．）の間に接続されたフィルタ５０と、中間ノードＲｘ２（ｉｎ）及び受信端子Ｒｘ２（ｂａｌ．）の間に接続されたフィルタ７０とを含む。フィルタ５０は、直列に接続されたＤＭＳフィルタ５２及び５４から構成され、それぞれのＤＭＳフィルタは表面弾性波の伝搬方向に配置された３つのＩＤＴ（５５〜５７、６０〜６２）と、その両側に配置された１組の反射器（５８〜５９、６３〜６４）とを含む。
【００５１】
入力側に位置するＤＭＳフィルタ５２は、中央のＩＤＴ５６が入力ＩＤＴ、その両側のＩＤＴが出力ＩＤＴとして機能する。入力側ＤＭＳフィルタ５２の入力ＩＤＴ５６は、中間ノードＲｘ１（ｉｎ）に接続されている。出力側に位置するＤＭＳフィルタ５４は、中央のＩＤＴ６１が出力ＩＤＴ、その両側のＩＤＴが入力ＩＤＴとして機能する。出力側ＤＭＳフィルタ５４の入力ＩＤＴ６０及び６２は、入力側ＤＭＳフィルタ５２の出力ＩＤＴ５５及び５７とそれぞれ接続されている。出力側ＤＭＳフィルタ５４の出力ＩＤＴ６１は、受信端子ＲＸ１（ｂａｌ．）に接続されている。
【００５２】
中間ノードＲｘ２（ｉｎ）に接続されたフィルタ７０の構成は、フィルタ５０と同様である。すなわち、フィルタ７０は、直列に接続されたＤＭＳフィルタ７２及び７４から構成され、それぞれのＤＭＳフィルタは表面弾性波の伝搬方向に配置された３つのＩＤＴ（７５〜７７、８０〜８２）と、その両側に配置された１組の反射器（７８〜７９、８３〜８４）とを含む。
【００５３】
実施例４に係る弾性波デバイス１００Ｄでは、フィルタとしてＤＭＳフィルタ４０を用いている。ＤＭＳフィルタ４０の入力インピーダンスを出力インピーダンスより大きくするためには、ＤＭＳフィルタ４０の入力側に位置するＩＤＴ（５５〜５７、７５〜７７）の電極指ピッチ、交差幅、電極幅及び電極対数の少なくとも１つのパラメータを出力側より小さく設定すればよい。
【００５４】
実施例４に係る弾性波デバイス１００Ｄでは、共通端子ＡｎｔとＤＭＳフィルタ４０との間にバランを接続することにより、ＤＭＳフィルタ４０の入力インピーダンスを変更可能とし、設計自由度を高めることができる。また、バラン２０の出力インピーダンスが、ＤＭＳフィルタ４０の入力インピーダンスと等しく、ＤＭＳフィルタ４０の出力インピーダンスより大きくなるようにすることで、ＤＭＳフィルタ４０の入力側に位置するＩＤＴを小型化し、ＤＭＳフィルタ４０及び装置全体の小型化を図ることができる。
【００５５】
実施例１〜４では、送信側のラダーフィルタ１０を備えたデュプレクサを例に説明を行ったが、弾性波デバイス１００Ａ〜１００Ｄはラダーフィルタ１０を備えていなくともよい。この場合は比較例と同じく、共通端子Ａｎｔが入力端子Ｉｎとなる。
【００５６】
実施例１〜４において、バラン２０はＩＰＤ２１により構成されていたが、バラン２０をＩＰＤ以外の方法で構成してもよい。ただし、実施例１〜４のようにＩＰＤを採用することにより、弾性波デバイス１００Ａ〜１００Ｄをさらに小型化することができる。
【００５７】
以上、本発明の実施例について詳述したが、本発明は係る特定の実施例に限定されるものではなく、特許請求の範囲に記載された本発明の要旨の範囲内において、種々の変形・変更が可能である。
【符号の説明】
【００５８】
１０            ラダーフィルタ
２０            バラン
３０            フィルタ
４０            ＤＭＳフィルタ
【図１】
2011015156.tif 000005
【図２】
2011015156.tif 000006
【図３】
2011015156.tif 000007
【図４】
2011015156.tif 000008
【図５】
2011015156.tif 000009
【図６】
2011015156.tif 000010